(57)【要約】【課題】簡単な構成で良好に例えば携帯用音響機器等を首に吊り下げることができるようにすることを目的とする。【解決手段】バンド部材１０の両端部に夫々コード１３を受ける肉薄部１１を設け、この夫々の肉薄部１１の夫々の遊端側に夫々スリット付パイプ部１４を設けると共に夫々の肉薄部１１の遊端側とは反対側に夫々このスリット付パイプ部１４に係合する軸部１５を設けたものである。【選択図】        図２
2004242215.tif 000002
【特許請求の範囲】
【請求項１】
バンド部材の端部にコードを受ける肉薄部を設け、
該肉薄部の遊端側にスリット付パイプ部を設けると共に前記肉薄部の遊端側とは反対側に前記スリット付パイプ部と係合する軸部を設けたことを特徴とするネックストラップ。
【請求項２】
バンド部材の両端部に夫々コードを受ける肉薄部を設け、該夫々の肉薄部の夫々の遊端側に夫々スリット付パイプ部を設けると共に前記夫々の肉薄部の遊端側とは反対側に夫々前記スリット付パイプ部に係合する軸部を設けたことを特徴とするネックストラップ。
【請求項３】
請求項１又は２記載のネックストラップにおいて、
前記肉薄部の長さは前記コードの外周長より、やや小となるようにしたことを特徴とするネックストラップ。
【発明の詳細な説明】
【０００１】
【発明の属する技術分野】
本発明は例えば音声信号をイヤホンで再生するようにした携帯用音響機器等を首から吊り下げるのに使用して好適なネックストラップに関する。
【０００２】
【従来の技術】
従来、音声信号をイヤホンで再生するようにした携帯用音響機器を首から吊り下げるようにしたネックストラップとして例えば特許文献１に示す如きものが提案されている。
【０００３】
この特許文献１に示すものは図５に示す如き布製部材あるいはビニール製部材の吊り下げ手段（ネックストラップ）１に携帯用音響機器よりのイヤホン２のコード３をこのコード３に固定された６個のクリップ４ａ，４ｂ‥‥４ｆで装着するようにしたものである。この図５において、５はこの携帯用音響機器、例えばＭＤプレーヤ、ＣＤプレーヤ等の掛止用の紐で、６は携帯用音響機器のジャックに挿入するプラグである。
【０００４】
【特許文献１】
特開２００２−１６９９５号公報
【０００５】
【発明が解決しようとする課題】
然しながら、特許文献１に示す如きものはイヤホン２のコード３に固定した複数のクリップ４ａ，４ｂ‥‥４ｆで吊り下げ手段１に装着するので構成が比較的複雑であると共に外観があまり良くない不都合があった。
【０００６】
本発明は、斯る点に鑑み簡単な構成で良好に例えば携帯用音響機器等を首に吊り下げることができるネックストラップを提案せんとするものである。
【０００７】
【課題を解決するための手段】
本発明ネックストラップはバンド部材の端部にコードを受ける肉薄部を設け、この肉薄部の遊端側にスリット付パイプ部を設けると共にこの肉薄部の遊端側と反対側にスリット付パイプ部と係合する軸部を設けたものである。
【０００８】
また本発明ネックストラップはバンド部材の両端部に夫々コードを受ける肉薄部を設け、この夫々の肉薄部の夫々の遊端側に夫々スリット付パイプ部を設けると共に夫々の肉薄部の遊端側とは反対側に夫々このスリット付パイプ部に係合する軸部を設けたものである。
【０００９】
斯る本発明によれば肉薄部にコードを挟んでこの肉薄部より折り曲げてスリット付パイプ部を軸部に係合するだけの簡単な構成で、良好に例えば携帯用音響機器等を首に吊り下げることができる。
【００１０】
【発明の実施の形態】
以下図１〜図４を参照して本発明ネックストラップの実施の形態の例につき説明する。
図１〜図４において、１０はバンド部材を示し、このバンド部材１０はエラストマ、ビニール等の可撓性の合成樹脂より構成する。このバンド部材１０の長さは図３に示す如く人の首を１廻りする程度とすると共に中央部近傍は帯状とする如くする。
【００１１】
このバンド部材１０の両端部に図２Ａに示す如くイヤホン１２のコード１３を受ける肉薄部１１を設ける。この肉薄部１１の長さはコード１３の外周長よりやや小とし、この肉薄部１１でこのコード１３を挟んで折り曲げたときにコード１３とこの肉薄部１１との摩擦によりこのコード１３が肉薄部１１よりすべらない如くする。
【００１２】
このバンド部材１０の夫々の肉薄部１１の遊端側に夫々図２Ａに示す如くスリット１４ａが形成されたパイプ部１４を設ける。このパイプ部１４はこのバンド部材１０と一体成形により形成する。この場合このパイプ部１４のスリット部１４ａは肉薄部１１との連結側とは反対側に位置する如く形成する。
【００１３】
また、この肉薄部１１の遊端側とは反対側にこのスリット１４ａが形成されたパイプ部１４と係合する軸部１５を設ける。この軸部１５は円柱状をなしているので肉薄部１１及びパイプ部１４に比し剛性が大である。この肉薄部１１、パイプ部１４及び軸部１５はバンド部材１０と合成樹脂により一体成形により形成する。
【００１４】
この場合、パイプ部１４を肉薄部１１より折り曲げ所定の力を加えたときはこのパイプ部１４はスリット１４ａより軸部１５が係合し、このパイプ部１４がこの軸部１５を抱擁し、固定される。本例においては図２Ｂに示す如く、イヤホン１２のコード１３をこの肉薄部１１で受け、この肉薄部１１よりこのパイプ部１４を折り曲げこのパイプ部１４をこの軸部１５に係合する如くする。
【００１５】
また、１６は左及び右のイヤホン１２の左及び右のコード１３が合体された先の先端に設けられたプラグを保持したプラグカバーを示し、本例においてはこの左及び右のコード１３の先端に設けたプラグを音声信号が出力される比較的小型軽量に構成された携帯用音響機器１７のジャックに接続すると共に、このプラグカバー１６等によりこの携帯用音響機器１７を固定保持する如くする。
【００１６】
本例は上述の如く構成されているので本例によるネックストラップを使用するときには、この左及び右のイヤホン１２，１２の左及び右のコード１３，１３が合体された先の先端に設けられたプラグを携帯用音響機器１７の音声信号の出力用のジャックに挿入接続すると共にこのプラグカバー１６等によりこの携帯音響機器１７を固定保持し、その後左及び右の一方のコード１３の所定位置を図２Ａに示す如くバンド部材１０の一方の肉薄部１１で受け、この一方のパイプ部１４をこの一方の肉薄部１１より折り曲げ、所定の力を加えてこの一方のパイプ部１４をスリット１４ａより一方の軸部１５に係合し、この一方のパイプ部１４をこの一方の軸部１５を抱擁し、固定する。
【００１７】
この場合、図２Ｂに示す如く、一方のイヤホン１２のコード１３がこの一方の肉薄部１１により保持固定される。この場合この肉薄部１１の長さがコード１３の外周長よりやや小さいので、このコード１３を締め付ける如く保持固定し、摩擦力によりすべることがない。
【００１８】
その後、このバンド部材１０を図４に示す如く首にかけ、その後、他方のコード１３の所定位置を図２Ａ，Ｂと同様にバンド部材１０の他方の肉薄部１１で受け、この他方のパイプ部１４をこの他方の肉薄部１１より折り曲げ、所定の力を加えてこの他方のパイプ部１４をスリット１４ａより他方の軸部１５に係合し、この他方のパイプ部１４、この他方の軸部１５を抱擁し、固定する。
【００１９】
この場合、図２Ｂに示す如く、他方のイヤホン１２のコード１３がこの他方の肉薄部１１により保持固定される。この場合上述同様にこの肉薄部１１の長さがコード１３の外周長よりやや小さいので、このコード１３を締め付ける如く保持固定し、摩擦力によりすべることがない。
【００２０】
従って本例によれば、肉薄部１１にコード１３を挟んで、この肉薄部１１より折り曲げてスリット付パイプ部１４を軸部１５に係合するだけの簡単な構成で、図３に示す如く良好にイヤホン１２により音声信号を再生するようにした携帯用音響機器１７を首に吊り下げることができる。
【００２１】
また本例によればスリット付パイプ部１４を軸部１５に係合するだけの構成なので急激な力が加わったときはこの係合がはずれるので危険をともなうことがない。
【００２２】
尚、上述例はバンド部材１０の両端部に肉薄部１１、スリット付パイプ部１４、軸部１５を設ける如く述べたが、必要に応じ一端部であっても良い。
【００２３】
また本発明は上述例に限ることなく本発明の要旨を逸脱することなく、その他種々の構成が採り得ることは勿論である。
【００２４】
【発明の効果】
本発明によれば肉薄部にコードを挟んでこの肉薄部より折り曲げてスリット付パイプ部を軸部に係合するだけの簡単な構成で、良好に例えば携帯用音響機器等を首に吊り下げることができる。
【図面の簡単な説明】
【図１】本発明ネックストラップの実施の形態の例を示す斜視図である。
【図２】図１の要部の例を示す一部拡大斜視図である。
【図３】図１の使用状態の例を示す正面図である。
【図４】図１の装着例の説明に供する線図である。
【図５】従来のネックストラップの例を示す正面図である。
【符号の説明】
１０‥‥バンド部材、１１‥‥肉薄部、１２‥‥イヤホン、１３‥‥コード、１４‥‥パイプ部、１４ａ‥‥スリット、１５‥‥軸部、１６‥‥プラグカバー、１７‥‥携帯用音響機器
【図１】
2004242215.tif 000003
【図２】
2004242215.tif 000004
【図３】
2004242215.tif 000005
【図４】
2004242215.tif 000006
【図５】
2004242215.tif 000007